(57)【要約】      （修正有）【課題】ボルトを用いずに縦枠と横枠とを連結固定することのできるジョイントを得ることを第一の課題とし、表面装飾にバリエーションを持たせてデザインの自由度を高めることを第二の課題とする。【解決手段】ジョイントは、枠材の中空部に装着されるジョイントケースにインナーケース３を装着し、インナーケース３に一対の作動板を内側に付勢して装着する。前記作動板の先端部に他の枠材１１の係止溝１２に係止する係止片７を設け、作動板の基部には一対の作動板を同時に前後方向に移動させるための操作部材６を設け、前記操作部材の操作によって一対の作動板を突出側へ移動させたときに先端部における作動板の間隔が拡がり前記係止片７が枠材１１の係止溝１２に係止するようにして構成する。  前記枠材１１は長手方向に連続する係止溝１２を設けると共に長手方向に連続する隅部係止溝を設けて構成し、隅部係止溝に補助枠材を取り付けられるようにする。【選択図】  図５Ａ
2007232157.tif 000002
【特許請求の範囲】
【請求項１】
外側壁に長手方向の係止溝を有する第一の枠材と、中空部を有する第二の枠材とを直交させて連結固定するジョイントであって、
前記第二の枠材の中空部に装着されるジョイントケースにインナーケースを装着し、インナーケースに一対の作動板を内側に付勢して装着し、作動板の先端部に前記第一の枠材の係止溝に係止する係止片を設け、前記一対の作動板の対向間隔は先端側で狭く基部側で広くし、前記一対の作動板の間には間隔規制部材を配設し、前記一対の作動板の基部には一対の作動板を同時に前後方向に移動させるための操作部材を設け、
前記操作部材の操作によって前記一対の作動板を突出側へ移動させたときに先端部における作動板の間隔が拡がり前記係止片が第一の枠材の係止溝に係止するようにした、枠材用ジョイント
【請求項２】
断面環状の基枠の外側に対向する側壁を有する突出枠を複数等間隔で設け、この突出枠の外側壁に長手方向に連続する係止溝を設け、前記各突出枠の間に長手方向に連続する隅部係止溝を設けた、枠材
【請求項３】
請求項２記載の枠材の隅部係止溝の外側に形成された二つの突出枠の間隙に光源を装着し、透孔部のある隅部被覆体を装着し。この隅部被覆体を留め具を介して前記隅部係止溝に固定した、照明付枠材
【請求項４】
断面環状の基枠の下部に対向する下部側壁を長手方向に設け、両側壁の外側壁に下部係止溝を設け、
前記基枠の上部に基枠の両側に突出した上部枠を設け、上部枠の両側の下側壁に上部係止溝を設け、上部枠の両側の側壁に係止溝を設けた、枠材
【請求項５】
請求項4記載の枠材の側部に、補助枠材の上部突片を枠材の上部係止溝に係止させると共に補助枠材の下部突片を枠材の下部係止溝に係止させて固定し、
前記補助枠材の外側壁には長手方向に係止溝を設け、この係止溝に光源を内装した透孔部のある装飾体を装着した、照明付枠材
【発明の詳細な説明】
【技術分野】
【０００１】
この発明の枠材用ジョイント、枠材そして照明付枠材は、見本市などにおける展示スペースを仕切るためのフレームや、商品の展示スペースを構成する際に使用される組み立て式の商品展示台などを構成するために使用されるものである。
【背景技術】
【０００２】
従来、型材として構成されるこの種の枠材は種々提案されている。そして、この種の枠材は縦材と横材とをジョイントで連結固定する必要があるが、いずれのジョイントもボルトを用いており固定作業が煩わしく、組み立て作業のスピード化の妨げともなっている。
【特許文献１】特開２０００−６４４３７号公報  この発明は、枠材組立用鋼材に長手方向の溝と、この溝に直交する貫通孔を設け、前記貫通孔に挿入して使用するジョイントであって、このジョイントには前記溝の位置に対応する切欠部を設け、この切欠部の外周縁部に前記貫通孔の縁部と係合して軸方向への移動及び回転方向への移動を規制する凸部を設けたものである。  この構成においては、ジョイントの移動は規制されるものの、枠材との結合はボルトを用いなければならない。
【０００３】
また従来の枠材は、いずれも型材自体で完結しており、表面の装飾を得るために別のパーツを取り付けることができるようにしたものは知られていない。そのために表面装飾を付加したものは、表面装飾ごとに個別の製品を用意しなければならない。また、枠材に照明機能を持たせたものも知られていない。そのためにフレームや商品展示台のデザインバリエーションも乏しいものにならざるを得ない。  
【発明の開示】
【発明が解決しようとする課題】
【０００４】
この発明は、ボルトを用いずにワンタッチ操作により縦枠と横枠とを連結固定することのできるジョイントを得ることにより、フレームなどの組み立て作業を効率化することを第一の課題とし、表面装飾にバリエーションを持たせてデザインの自由度を高めることを第二の課題とするものである。
【課題を解決するための手段】
【０００５】
請求項１の発明は、外側壁に長手方向の係止溝を有する第一の枠材と、中空部を有する第二の枠材とを直交させて連結固定するジョイントに関するものである。
この枠材用ジョイントは、前記第二の枠材の中空部に装着されるジョイントケースにインナーケースを装着し、インナーケースに一対の作動板を内側に付勢して装着する。前記作動板の先端部に前記第一の枠材の係止溝に係止する係止片を設け、この一対の作動板の対向間隔は先端側で狭く基部側で広くし、一対の作動板の間には間隔規制部材を配設する。前記一対の作動板の基部には一対の作動板を同時に前後方向に移動させるための操作部材を設け、前記操作部材の操作によって一対の作動板を突出側へ移動させたときに先端部における作動板の間隔が拡がり前記係止片が第一の枠材の係止溝に係止するようにして構成する。
【０００６】
前記作動板は、以下の実施例に示すように１枚のバネ板を屈曲させて構成するほか、２枚の作動片を対向させ、両作動片の間にバネを介在させて内側へ付勢するようにすることもできる。要は、作動片の前方移動（作動片の先端がインナーケースから突出する方向）によって間隔規制部材の作用によって作動板の間隔が拡がり、その係止片が枠材の係止溝に係止し、逆方向の移動により間隔規制部材の作用が解除されることによって作動板が内側に移動して先端部における両作動板の間隔が狭まり、その係止片と枠材の係止溝との係止が解除される構成であればよい。
そして、作動片を前後に移動させるための構成も、実施例に示すカムの他、レバー操作による構成とすることもできる。
【０００７】
請求項２以下の発明は枠材に関するものである。
請求項２の発明は、断面環状の基枠の外側に対向する側壁を有する突出枠を複数等間隔で設け、この突出枠の外側壁に長手方向に連続する係止溝を設け、前記各突出枠の間に長手方向に連続する隅部係止溝を設けて枠材としたものであり、主として柱材として使用されるものである。
前記基枠の中空部は必要により前記請求項1のジョイントのジョイントケースが装着されるものである。そして、基枠の断面形状は略正方形が一般的であるが、円形としたり、任意の多角形とすることもできる。
基枠の断面形状を多角形とした場合は、多角形の各面に前記突出枠を設けるが、断面円形とした場合は外面に沿って任意の数の突出枠を等間隔で設けることとなる。この突出枠に設けた係止溝は必要により請求項1のジョイントの作動片が係止するものである。
前記隅部係止溝は装飾体を取り付けるためのものである。
【０００８】
請求項３の発明は、請求項２記載の枠材の隅部係止溝の外側に形成された二つの突出枠の間隙に光源を装着し、透孔部のある隅部被覆体を装着し、この隅部被覆体を留め具を介して前記隅部係止溝に固定することにより照明付枠材としたものである。
前記光源としてはＬＥＤの他任意の光源を使用することができる。そして隅部被覆体は、金属など透光性のない素材にスリットを設けるなどの手法により透光性を持たせたり、透明又は半透明のプラスチック素材により構成する。
【０００９】
請求項４の発明は、断面環状の基枠の下部に対向する下部側壁を長手方向に設け、両側壁の外側壁に下部係止溝を設け、前記基枠の上部に基枠の両側に突出した上部枠を設け、上部枠の両側の下側壁に上部係止溝を設け、上部枠の両側の側壁に係止溝を設けて枠材としたものであり、主として梁材として使用されるものである。
前記基枠の中空部は必要により前記請求項1のジョイントのジョイントケースが装着されるものであり、前記上部枠の側壁に設けた係止溝は必要により請求項1のジョイントの作動片が係止するものである。また前記下部係止溝と上部係止溝は、請求項５における補助枠材を係止させるほか、必要により装飾体を取り付けるために使用される。
【００１０】
請求項５の発明は、請求項4記載の枠材の側部に補助枠材を固定し、Ｋの補助枠材に装飾体を取り付けて照明付枠材としたものである。
前記補助枠材は、その上部突片を枠材の上部係止溝に係止させると共に補助枠材の下部突片を枠材の下部係止溝に係止させて固定する。そして、前記補助枠材の外側壁には長手方向に係止溝を設け、この係止溝に光源を内装した透孔部のある装飾体を装着する。
【発明の効果】
【００１１】
請求項１の発明によれば、ジョイントケースを第一の枠材の中空部に装着し、一対の作動板の間隔を狭めた状態で第二の枠材の係止溝に挿入し、この状態で操作部材を操作して作動板を僅かに後退させることにより第一の枠材と第二の枠材とを直交状態で連結固定することができる。
上記において、ボルトを用いることなく操作部材を操作するのみで固定することができるので作業性がよいのみならず、作動板の後退により固定されるので両枠材は密着状態に維持され、強固な組み上がり状態を得ることができる。
【００１２】
請求項２及び請求項４の発明の枠材は、いずれも中空部と係止溝を備えているので、中空部に前記ジョイントのジョイントケースを装着し、係止溝に前記ジョイントの作動板を係止させることにより、枠材同士を直交状態で迅速かつ強固に連結固定することができる。
加えて、いずれの枠材も係止溝を利用して装飾体を取り付けることができる。したがって、装飾体を変更することにより種々のデザインの枠を得ることができる。
【００１３】
請求項３及び請求項５の発明は、いずれも枠材の間隙又は係止溝などを利用して照明を組みこむことにより、照明付の枠材とすることができ、デザインの多様性を一層高めることができる。
【発明を実施するための最良の形態】
【００１４】
以下この発明の実施例を説明する。
【実施例１】
【００１５】
図１はこの発明のジョイントの実施例を示す分解斜視図である。
ジョイントケース１は断面縦長長方形状とした枠材であって、装着する枠材の中空部にがたつくことなく装着される大きさとしてある。そして、側壁には工具挿入用の孔２が設けてある。
前記ジョイントケース１には上下に２つのインナーケース３が装着してある。このインナーケース３には、作動片４，間隔規制部材としてのシャフト５，操作部材としての偏心カム６が装着してある。
【００１６】
図２は前記作動板４の平面図である。この作動板４は、１枚のバネ板を屈曲させて対向する１対の作動板を構成している。そして、先端は外向きに屈曲させて係止片７が形成してあり、この係止片を含む作動板４の先端部は前記インナーケース３から突出させてある。
作動板４中央部は一部を切り分けて外向きに突出させてバネ片８としてある。このバネ片８は前記インナーケース３の内壁に押圧接触し、係止片７を含む作動板４を内側に付勢する作用をしている。
前記作動板４の対向間隔は、先端側で狭く、中央部より基部側で広くしてあり、幅狭部と幅広部の境界に前記シャフト５が位置している。そして、作動板４の基部には前記偏心カム６が装着される丸孔９が設けてあり（図３）、この丸穴に偏心カム６が装着してある。
前記作動板４の基部下方は先端側に屈曲して受けバネ４ａとしてあり、この受けバネ４ａの上面に小突起４ｂが形成してある。
【００１７】
前記偏心カム６は、図４に示すように平面視において回転軸Ｏよりも前方側が長く後方側が短くしてある。そして、一方の端面にレンチを係止させるためにレンチ穴１０が設けてある。
この偏心カム６の軸方向中央には環状の溝６ａが形成してあり、溝６ａには１箇所の不完結部６ｂが形成してある。
この偏心カム６は取付軸（図示しない）によってインナーケース３に取り付けてあり、前記レンチ穴１０の位置は前記ジョイントケース１の工具挿入用の穴２に対応させてあり、ジョイントケース１の外からレンチを挿入して偏心カムを回転できるようにしてある。
【００１８】
図５は作動板４の係止片７の間隔が狭まっている状態である。このとき偏心カム６は軸より長い側が前方（係止片側）に位置している。すなわち、作動板４は前方に位置しており、シャフト５の規制を受けず、バネ片８の作用によって内側に押されて係止片７の間隔は狭まる。このとき、前記受けバネ４ａの小突起４ｂは偏心カム６の溝６ａに嵌まり、偏心カム６の抜け止めとなる。
この状態から前記偏心カム６をレンチによって１８０度回転させると、偏心カムの軸より長い側が後方に位置するので、作動板４は僅かに後方へ移動する。この後方移動により対向する作動板４の間をシャフト５が広げるので、係止片７は外に開き枠材の係止溝１１に係止固着する。
偏心カム６の回転時には、前記受けバネ４ａの小突起４ｂが偏心カムの溝の不完結部６ｂを越えて移動する。そして、前記小突起４ｂが前記不完結部６ｂを越えたときに偏心カム６がロックされるようにしてある。
したがって、ジョイントケース１を他の枠材の中空部に装着した状態で上記操作を行うと、二つの枠材を連結固定することができる。
【実施例２】
【００１９】
図７ないし図９は請求項２，３の発明に係るものである。
図７における枠材Ａは、断面正方形状の基枠２１の４面の外側に、対向する側壁２２を有する突出枠２３を設け、この突出枠２３の外側壁に長手方向に連続する係止溝２４を設け、前記各突出枠２３の間、すなわち基枠２１の隅部に長手方向に連続する隅部係止溝２５を設けてある。前記係止溝２４及び隅部係止溝２５の開口部両側には係止突片２６が対向して設けてある。
前記基枠２１の係止突片２６はジョイントの係止片７が係止し得るものである。また中空部２７は前記実施例１のジョイントのジョイントケース１が装着し得るものとすることもできる。
この枠材Ｂは主として梁として使用されるものである。
【００２０】
前記枠材Ａの隅部係止溝２５の外側に形成された二つの突出枠２３の間隙２８に光源としてＬＥＤ２９が枠材Ａ全長に亘り装着してあり、前記二つの突出枠２３の端面を結ぶように、透孔部のある隅部被覆体３０が装着してある。この隅部被覆体３０は留め具３１、３２を介して前記隅部係止溝２５に固定してある。
前記隅部被覆体３０は、湾曲させた金属板に透孔用の穴３３を多数設け、穴３３からＬＥＤの光が外に照射するようにしてある（図８）。
【００２１】
図９の実施例においては、枠材Ａの構成は上記図７の構成に加えて、突出枠２３の各側壁に係止長溝４１が設けてある。
前記突出枠２３の間隙２８には補助枠材４２が装着してある。この補助枠材４２は、外壁面が突出枠２３の側壁及び隅部係止溝２５の係止突片２６に当接する断面六角形状であって、前記係止突片２６に当接する壁の対向壁４２の外面両側に保持片４３を設けて係止溝４４が形成してある。この係止溝４４にLEDを装着し、透孔部を形成した装飾体４５が嵌め込まれ、前記保持片４３によって係止保持されている。
符号４６は補助枠材４２を固定するためのストッパーであって、断面鈎状をしている。前記補助枠材４２を間隙２８に配設した後、ストッパー４６をあてがい、スライドさせてストッパーの先端部を前記係止長溝４１に係止することによって、補助枠材４２を固定する。
【実施例３】
【００２２】
図１０，１１は請求項４，５に係るものである。
枠材Ｂは、断面縦長長方形の基枠５１の下部に対向する下部側壁５２を長手方向に設け、両下部側壁５２の外側壁に下部係止溝５３を設けてある。前記基枠５１の上部に基枠の両側に突出した上部枠５４を設け、上部枠の両側の下側壁に上部係止溝５５を設け、上部枠の両側の側壁に係止溝５６を設けてある。
前記基枠５１の中空部５７は前記実施例１のジョイントのジョイントケース１が装着し得るものであり、係止溝５６はジョイントの係止片７が係止し得るものである。
この枠材Ｂは主として梁として使用されるものである。
【００２３】
前記枠材Ｂの側部に表面装飾板となる補助枠材５８が装着してある。この補助枠材５８は断面略コ字状であって、その側壁は前記上部枠５４の側壁と面一となり、その下壁は前記下部側壁５２の下面と面一となるような大きさとしてある。そして、補助枠材５８の上面には前記係止溝５５に係止する係止突片５９が設けてあり、下部内側端部には前記下部係止溝５３に係止する鈎状の係止片６０が設けてあり、それぞれ係止溝５５，下部係止溝５３に係止して枠材Ｂに固定されている。図中６１は補助枠材５８を安定保持させるためのゴム製目地材である。
【００２４】
前記補助枠材５８の外側壁上部には係止溝６２が、下部隅部には係止溝６３がそれぞれ設けてあり、両係止溝にはLEDを装着し透孔部を形成した装飾体４５が嵌め込まれ、前記係止溝の開口部に形成された係止突片によって係止保持されている。
【００２５】
図１１は、枠材Ｂの構成は図１０と同様であり、補助枠材の形状が異なるものである。
補助枠材６５は、前記補助枠材５８と同様、上部に係止突片５９，下部に係止片６０を設けてあり、それぞれ係止溝５５，５３に係止して枠材Ｂに固定してある。図中符号６６はボルトであって、先端は枠材Ｂの側壁に当接し、補助枠材６５を外側へ付勢することにより、前記係止状態を保持するようにしてある。
前記補助枠材６５の下部外側には向きに開口した係止溝６７が設けてあり、この係止溝６７にＬＥＤを装着した装飾体４５が装着してある。
ここで、前記補助枠材６５の側壁は断面凹弧状をなし、外面は突弧状の帯状凸条が連続した波状の鏡面としてある。したがって、この枠材を梁として使用した場合、前記装飾体４５から照射された光は補助枠材６５の外面に反射して下方に向けて照射される。
【００２６】
上記のように構成された枠材Ａを柱とし、枠材Ｂを梁として実施例１のジョイントで連結固定する場合、ジョイントケース１を枠材Ｂの中空部５７に装着し、ジョイントの係止片７の間隔を狭めた状態に調整して、係止片７を枠材Ａの係止溝２４にその正面から挿入する（係止溝の開口部の幅は係止片７が通過しえる幅としてある）。次いで、ジョイントの偏心カム６を回転させて係止片７を外側へ押し出すと、係止片７は係止溝２４の係止突片２６に弾性的に係止し、枠材Ａと枠材Ｂは強固に固定される。
なお、上記実施例における補助枠材に透光性をもたせ、内部に光源を収納することもできる。
【産業上の利用可能性】
【００２７】
この発明によれば、ジョイントのカムを操作するのみで、すなわちボルトなどを使用することなく、柱と梁とを固定することができ、フレームなどの組み立て作業の作業性が向上する。
この発明の枠材は、表面装飾材となる補助枠材を取り付けて使用するものであるから、１つの枠材において補助枠材を適宜変更することにより種々の色彩、模様、表面形状を備えたフレームを得ることができる。
そして、枠材に光源を装着し、透光性のある補助枠材、隅部被覆体を使用することにより、フレームから光を照射することができる。
このように、この発明によれば、作業性がよく、デザインバリエーションを得やすい枠材、フレーム構造を得ることができ、産業上の利用可能性を有するものである。
【図面の簡単な説明】
【００２８】
【図１】この発明のジョイントの実施例の分解斜視図
【図２】同じく作動片の平面図
【図３】同じく作動片の正面図
【図４】同じく偏心カムの平面図
【図５Ａ】同じく係止片が閉じた状態の平面側斜視図
【図５Ｂ】同じく底面側斜視図
【図６Ａ】同じく係止片が開いた状態の平面側斜視図
【図６Ｂ】同じく底面側斜視図
【図７】この発明の柱に適した枠材の実施例の斜視図
【図８】枠材に装着される隅部被覆体の正面図
【図９】この発明の柱に適した枠材の別の実施例の斜視図
【図１０】この発明の梁に適した枠材の実施例の斜視図
【図１１】この発明の梁に適した枠材の別の実施例の斜視図
【図１２】この発明の実施品で組み立てたフレームの斜視図
【符号の説明】
【００２９】
Ａ    枠材
Ｂ    枠材
１    ジョイントケース
２    孔
３    インナーケース
４    作動片
５    シャフト
６    偏心カム
７    係止片
８    バネ片
９    丸孔
１０  レンチ穴
１１  枠材
１２  係止溝
２１  基枠
２３  突出枠
２４  係止溝
２５  隅部係止溝
２６  係止突片
２７  中空部
２９  ＬＥＤ
３０  隅部被覆体
３３  透光用の穴
４２  補助枠材
４５  装飾体
５１  基枠
５３  下部係止溝
５５  上部係止溝
５８  補助枠材
５９  係止突片
【図１】
2007232157.tif 000003
【図２】
2007232157.tif 000004
【図３】
2007232157.tif 000005
【図４】
2007232157.tif 000006
【図５Ａ】
2007232157.tif 000007
【図５Ｂ】
2007232157.tif 000008
【図６Ａ】
2007232157.tif 000009
【図６Ｂ】
2007232157.tif 000010
【図７】
2007232157.tif 000011
【図８】
2007232157.tif 000012
【図９】
2007232157.tif 000013
【図１０】
2007232157.tif 000014
【図１１】
2007232157.tif 000015
【図１２】
2007232157.tif 000016